(57)【特許請求の範囲】
【請求項１】
ネットワークアクセス装置におけるアップリンクリソーススケジューリングのための方法であって、該方法は、
時間間隔でアップリンクリソースブロックをスケジューリングし、結果として、アップリンクリソースブロック割り当てをもたらすことと、
該時間間隔で基準信号リソース割り当てをスケジューリングすることと、
該アップリンクリソースブロック割り当てと該基準信号リソース割り当てとを含むメッセージを送信することと
を包含する、方法。
【請求項２】
前記アップリンクリソースブロックをスケジューリングすることは、リアルタイムにスケジューリングすることを包含する、請求項１に記載の方法。
【請求項３】
前記アップリンクリソースブロックをボイスオーバインターネットプロトコル伝送に割り当てることをさらに包含する、請求項１または請求項２に記載の方法。
【請求項４】
時間間隔でアップリンクリソースブロックをスケジューリングし、結果として、アップリンクリソースブロック割り当てをもたらし、該時間間隔で基準信号リソース割り当てをスケジューリングするように構成されたスケジューリングモジュールと、
該アップリンクリソースブロック割り当てと該基準信号リソース割り当てとを含むメッセージを送信するように構成された伝送モジュールと
を備えている、ネットワークアクセス装置。
【請求項５】
前記スケジューリングモジュールは、リアルタイムにスケジューリングすることを実行する、請求項４に記載のネットワークアクセス装置。
【請求項６】
前記スケジューリングモジュールは、前記アップリンクリソースブロックをボイスオーバインターネットプロトコル伝送に割り当てるようにさらに構成されている、請求項４または請求項５に記載のネットワークアクセス装置。
【発明の詳細な説明】
【技術分野】
【０００１】
（関連出願の参照）
本願は、２００７年１２月２１日にＺｈｉｊｕｎ  Ｓ．Ｃａｉ他によって出願された「Ｓｙｓｔｅｍｓ  ａｎｄ  Ｍｅｔｈｏｄ  ｆｏｒ  Ｕｐｌｉｎｋ  Ｒｅｓｏｕｒｃｅ  Ｕｔｉｌｉｚａｔｉｏｎ」という名称の米国仮特許出願第６１／０１６，１９５号に対する優先権を主張し、この仮特許出願は本明細書において参照により援用される。
【背景技術】
【０００２】
（背景）
従来のワイヤレス電気通信システムでは、基地局内の伝送装置が、セルとして公知の地理的な領域全体に、信号を伝送する。技術の進化が進むにつれて、以前は不可能であったサービスを提供することのできる、より高度なネットワークアクセス装置が導入されてきた。この高度なネットワークアクセス装置は、基地局、または従来のワイヤレス電気通信システム内の同等の装置よりも高度に進化した他のシステムおよびデバイスではなく、例えば、拡張ノードＢ（ｅＮＢ）を含む場合がある。こうした高度なまたは次世代の装置は、本明細書では、ロングタームエボリューション（ＬＴＥ）装置と称され得る。ＬＴＥ装置では、ワイヤレスデバイスが電気通信ネットワークへのアクセスを取得可能な領域を、「ホットスポット」等の、「セル」以外の名前で称する場合がある。本明細書中で用いるように、「セル」という用語は、ワイヤレスデバイスが、従来の移動デバイス、ＬＴＥデバイス、または他のデバイスであるかには関係なく、ワイヤレスデバイスが電気通信ネットワークへのアクセスを取得できる任意の領域を称するために使用される。
【０００３】
電気通信ネットワークにおいてユーザが使用する可能性のあるデバイスは、携帯電話、パーソナルデジタルアシスタント、ハンドヘルドコンピュータ、ポータブルコンピュータ、ラップトップコンピュータ、タブレットコンピュータおよび同様のデバイス等の携帯端末、および常駐型（ｒｅｓｉｄｅｎｔｉａｌ）ゲートウェイ、テレビ、セットトップボックス等の固定端末の両方を含むことができる。こうしたデバイスは、本明細書では、ユーザ装置またはＵＥと称される。
【０００４】
ＬＴＥベースの装置によって提供され得るサービスは、テレビ番組、ストリーミング動画、ストリーミング音声、および他のマルチメディアコンテンツの同報通信またはマルチキャストを含むことができる。こうしたサービスは、通常、マルチメディア同報通信マルチキャストサービス（ＭＢＭＳ）と称される。ＭＢＭＳは、単一セルまたはいくつかの連続または重複セル全体に伝送される場合がある。ＭＢＭＳは、ｅＮＢからＵＥまで、ポイントツーポイント（ＰＴＰ）通信またはポイントツーマルチポイント（ＰＴＭ）通信を用いて通信され得る。
【０００５】
ワイヤレス通信システムにおいて、ネットワークアクセス装置（ｅＮＢ）からＵＥへの伝送は、ダウンリンク伝送と称される。ＵＥからネットワークアクセス装置への通信は、アップリンク伝送と称される。ワイヤレス通信システムは、概して、連続的な通信を可能にするためにタイミング同期の維持を必要とする。アップリンク同期を維持することは、ＵＥが綱得に伝送するデータを有していないと仮定すると、問題であり、スループットを浪費し、そして／またはＵＥのバッテリ寿命を減少させ得る。
【発明の概要】
【課題を解決するための手段】
【０００６】
本開示のより完全な理解のために、添付の図面および発明を実施するための形態に関して述べられる、以下の簡単な説明を参照する。ここで、同一の参照番号は同一のパーツを表す。
例えば、本発明は以下の項目を提供する。
（項目１）
ネットワークアクセス装置における効率的なアップリンクリソース利用の方法であって、
第１のアップリンクパラメータに対する第１の組の基準信号要件を計算することと、
第２のアップリンクパラメータに対する第２の組の基準信号要件を決定することと、
該第１の組の基準信号要件と該第２の組の基準信号要件とを一体化する組み合わせ基準信号命令メッセージを生成することと、
該基準信号命令メッセージを送信することと
を包含する、方法。
（項目２）
前記組み合わせ基準信号命令メッセージに従って送信された基準信号を受信することと、
該受信基準信号の少なくともサブセットを利用し、前記第１のアップリンクパラメータを計算することと、
該受信基準信号の該サブセットの少なくとも一部を再利用し、前記第２のアップリンクパラメータを計算することと
をさらに包含する、項目１に記載の方法。
（項目３）
前記第１のアップリンクパラメータは、チャネル品質インジケータである、項目１〜２のいずれかに記載の方法。
（項目４）
前記第２のアップリンクパラメータは、アップリンクタイミング調整である、項目１〜３のいずれかに記載の方法。
（項目５）
組み合わせ基準信号命令メッセージを生成することは、
前記第１および第２の組から共通の基準信号要件を決定することと、
該基準信号命令メッセージに従って送信された基準信号が前記第１および第２のアップリンク測定パラメータの両方を計算するために用いられるように、該基準信号命令メッセージを順序づけることと
を包含する、項目１〜４のいずれかに記載の方法。
（項目６）
ネットワークアクセス装置におけるアップリンクリソーススケジューリングのための方法であって、
時間間隔でアップリンクリソースブロックをスケジューリングし、結果として、アップリンクリソースブロック割り当てをもたらすことと、
該時間間隔で基準信号リソース割り当てをスケジューリングすることと、
該アップリンクリソースブロック割り当てと該基準信号リソース割り当てとを含むメッセージを送信することと
を包含する、方法。
（項目７）
前記アップリンクリソースブロックをスケジューリングすることは、リアルタイムスケジューリングすることを包含する、項目６に記載の方法。
（項目８）
前記アップリンクリソースブロックをボイスオーバインターネットプロトコル伝送に割り当てることをさらに包含する、項目６または項目７に記載の方法。
（項目９）
ネットワークアクセス装置におけるアップリンクリソース同期化の方法であって、
不連続受信に基づきオン持続時間を決定することと、
該オン持続時間中に発生するように基準信号伝送をスケジューリングすることと
を包含する、方法。
（項目１０）
前記基準信号伝送をスケジューリングすることは、ボイスオーバインターネットプロトコルセッションに関係する前記オン持続時間中に送信されるべき音声基準信号をスケジューリングすることを包含する、項目９に記載の方法。
（項目１１）
第１のアップリンクパラメータに対する第１の組の基準信号要件を計算し、第２のアップリンクパラメータに対する第２の組の基準信号要件を決定するように構成されるアップリンクパラメータ要件モジュールと、
該第１の組の基準信号要件と該第２の組の基準信号要件とを一体化する組み合わせ基準信号命令メッセージを生成するように構成される生成モジュールと、
該基準信号命令メッセージを送信するように構成される伝送モジュールと
を備えている、ネットワークアクセス装置。
（項目１２）
前記組み合わせ基準信号命令メッセージに従って送信された基準信号を受信するように構成される受信モジュールと、
該受信基準信号の少なくともサブセットを利用し、前記第１のアップリンクパラメータを計算し、該受信基準信号の該サブセットの少なくとも一部を再利用し、前記第２のアップリンクパラメータを計算するように構成されるアップリンクパラメータ計算モジュールと
をさらに備えている、項目１１に記載のネットワークアクセス装置。
（項目１３）
前記第１のアップリンクパラメータは、チャネル品質インジケータである、項目１１または項目１２に記載のネットワークアクセス装置。
（項目１４）
前記第２のアップリンクパラメータは、アップリンクタイミング調整である、項目１１〜１３のいずれかに記載のネットワークアクセス装置。
（項目１５）
前記生成モジュールは、前記第１および第２の組から共通の基準信号要件を決定し、該基準信号命令メッセージに従って送信された基準信号が前記第１および第２のアップリンク測定パラメータの両方を計算するために用いられるように、該基準信号命令メッセージを順序づけるようにさらに構成される、項目１１〜１４のいずれかに記載のネットワークアクセス装置。
（項目１６）
時間間隔でアップリンクリソースブロックをスケジューリングし、結果として、アップリンクリソースブロック割り当てをもたらし、該時間間隔で基準信号リソース割り当てをスケジューリングするように構成されるスケジューリングモジュールと、
該アップリンクリソースブロック割り当てと該基準信号リソース割り当てとを含むメッセージを送信するように構成される伝送モジュールと
を備えている、ネットワークアクセス装置。
（項目１７）
前記スケジューリングモジュールは、リアルタイムスケジューリングする、項目１６に記載のネットワークアクセス装置。
（項目１８）
前記スケジューリングモジュールは、前記アップリンクリソースブロックをボイスオーバインターネットプロトコル伝送に割り当てるようにさらに構成される、項目１６または項目１７に記載のネットワークアクセス装置。
（項目１９）
不連続受信に基づきオン持続時間を決定するように構成されるオン持続時間決定モジュールと、
該オン持続時間中に発生するように基準信号伝送をスケジューリングするように構成される、スケジューリングモジュールと
備えている、ネットワークアクセス装置。
（項目２０）
前記スケジューリングモジュールは、ボイスオーバインターネットプロトコルセッションに関係する前記オン持続時間中に送信されるべき音声基準信号をスケジューリングするようにさらに構成される、項目１９にネットワークアクセス装置。
【図面の簡単な説明】
【０００７】
【図１】図１は、本開示の一実施形態に従う、セルラネットワークを示す。
【図２】図２は、本発明の一実施形態に従う、セルラネットワーク内のセルを示す。
【図３】図３は、ＬＴＥのための１つの実施可能なアップリンク伝送チャネルの図である。
【図４】図４は、本開示の一実施形態に従うタイミング図である。
【図５】図５は、１つのネットワークアクセス装置に対応するフローチャートである。
【図６】図６は、別のネットワークアクセス装置の実施形態に対応するフローチャートである。
【図７】図７は、ネットワークアクセス装置の実施形態の別の局面に対応するフローチャートである。
【図８】図８は、ネットワークアクセス装置の実施形態のさらに別の局面に対応するフローチャートである。
【図９】図９は、ネットワークアクセス装置内のモジュールの例示的な図である。
【図１０】図１０は、本開示の種々の実施形態のいくつかで動作可能な携帯デバイスを含むワイヤレス通信システムの図である。
【図１１】図１１は、本開示の種々の実施形態のいくつかで動作可能な携帯デバイスのブロック図である。
【図１２】図１２は、本開示の種々の実施形態のいくつかで動作可能な携帯デバイス上に実装され得るソフトウェア環境の図である。
【図１３】図１３は、本開示の一実施形態に従う例示的な汎用コンピュータである。
【発明を実施するための形態】
【０００８】
（詳細な説明）
本開示の１つ以上の実施形態の例示的な実施例を以下に示すが、開示されたシステムおよび／または方法は、現在公知であるか、既に存在しているかに関係なく、任意の数の技術を用いて実施してもよいことを理解されたい。本開示は、本明細書中に図示および記載される例示的なデザインおよび実施例を含む、以下に図示される、例示的な実施例、図面、および技術に制限すべきではなく、その均等物の全範囲と共に、添付の請求項の範囲内において、修正してもよい。
図１は、本開示の一実施形態に従う、例示的な移動体通信ネットワーク１００を図示する。移動体通信ネットワーク１００は、複数のセル１０２１、１０２２、１０２３、１０２４、１０２５、１０２６、１０２７、１０２８、１０２９、１０２１０、１０２１１、１０２１２、１０２１３、および１０２１４（セル１０２と総称される）を含んでもよい。当業者には明らかなように、セル１０２のそれぞれは、ネットワークアクセス装置（例えば、ｅＮＢ）からの通信によって、移動体通信ネットワーク１００の移動体通信サービスを提供するための受信可能エリアを表す。セル１０２は、重複しない受信可能エリアを有するものとして図示されているが、当業者は、セル１０２のうちの１つ以上は、隣接セルと部分的に重複する受信可能領域を有してもよいことを理解されよう。さらに、特定の数のセル１０２が図示されているが、当業者は、移動体通信ネットワーク１００により多いまたは少ないセル１０２を含んでもよいことを理解されよう。
【０００９】
セル１０２のそれぞれに、１つ以上のＵＥ１０が存在してもよい。１つのみのセル１０２１２内に１つのみのＵＥ１０が図示されているが、セル１０２のそれぞれに、複数のＵＥ１０が存在してもよいことが、当業者に明らかであろう。セル１０２のそれぞれのネットワークアクセス装置２０は、従来の基地局のものと同様の機能を実行する。すなわち、ネットワークアクセス装置２０は、ＵＥ１０および電気通信ネットワーク内の他のコンポーネントの間の無線リンクを提供する。また、ネットワークアクセス装置２０は、セル１０２１２内のみに示されているが、ネットワークアクセス装置は、セル１０２のそれぞれに存在することを、理解されたい。中央制御１１０は、また、セルラネットワーク１００内に存在し得、セル１０２内のワイヤレスデータ伝送のいくつかを監視する。
【００１０】
図２は、セル１０２１２のより詳細な図を示す。セル１０２１２内のネットワークアクセス装置２０は、トランスミッタ２７、レシーバ２９、および／または他の公知の装置を介して、通信を促進できる。また、他のセル１０２内に同様の装置が存在してもよい。他のセル１０２内と同様に、複数のＵＥ１０が、セル１０２１２内に存在する。本開示において、セルラシステムまたはセル１０２は、特定のアクティビティ（例えば、信号の伝送）に従事するように記載されるが、当業者には容易に理解されるように、これらのアクティビティは、実際には、セルを含む構成要素によって行われる。
【００１１】
各セルにおいて、ネットワークアクセス装置２０からＵＥ１０への伝送はダウンリンク伝送と称され、ＵＥ１０からネットワークアクセス装置２０への伝送はアップリンク伝送と称される。ＵＥは、セルラネットワーク１００を用いて通信し得る任意のデバイスを含み得る。例えば、ＵＥは、携帯電話、ラップトップコンピュータ、ナビゲーションシステム、または当業者に公知の任意の他のデバイスなどの、セルラネットワーク１００を用いて通信し得るデバイスを含み得る。
【００１２】
ＬＴＥにおけるアップリンクチャネルのフォーマットが図３に概略的に示される。伝送は、多くの異なる帯域幅（例えば、１．４ＭＨｚ、５ＭＨｚ、１５ＭＨｚまたは２０ＭＨｚ）のうちの１つであり得る。時間領域において、アップリンクは、複数のフレーム、サブフレームおよびスロットに分解される。スロット２０１は、７つの直交波周波数分割多重（ＯＦＤＭ）記号２０３で構成される。２つのスロット２０１は、サブフレーム２０５を構成する。フレームは、１０の連続的なサブフレームの集合である。サブフレーム２０５の正確な詳細はＬＴＥシステムの正確な実装に依存して変更し得るので、以下の記載は例示のみとして提供される。サブフレーム２０７の第１の記号は、音声基準記号）ＳＲＳ）が配置される場所である。ＵＥは、低振幅ゼロ自動相関（ＣＡＺＡＣ）を用いて伝送し、その結果、２以上のＵＥが同時に伝送し得る。復調（ＤＭ）基準記号（ＲＳ）は、各スロット２０９の４番目の記号上に配置され、制御チャネル２１１は、周波数帯の最も外側の端の少なくとも１つのリソースブロックによって占有される。
【００１３】
ＳＲＳ２０７は、各サブフレーム２０５の開始時または終了時に利用可能になり、リソースブロックと同一の周波数帯域に対応する１２のサブフレームのいくつかのブロックに分解される。ＵＥは、選択された伝送帯域に依存してこれらの周波数ブロックのうちの１つまたは全てを使用し得る。ＵＥは、また、１つ以上のブロックにおける全ての他の周波数を使用しえる。ＳＲＳ２０７の伝送は、単一のＵＥによる後続のＳＲＳ伝送間の時間に基づく。図３は、また、物理リンク制御チャネル（ＰＵＣＣＨ）２１１が配置される場合を時間および周波数において示す。制御信号伝達は、ＰＵＣＣＨにおいて起こる。一実施形態において、システムは、ハイブリッド自動反復要求（ＨＡＲＱ）肯定（ＡＣＫ）／否定（ＮＡＣＫ）フィードバックを実装する。ＡＣＫまたはＮＡＣＫは、ＰＵＣＣＨ２１１において、ＵＥによってｅＮＢに送信され、ｅＮＢから伝送されたパケットがそのＵＥにおいて受信されたか否かを示す。物理リンク共有チャネル（ＰＵＳＣＨ）がユーザデータを送信するために使用される。
【００１４】
上記のアップリンクチャネルの記載は、ＬＴＥに対して提案されるアップリンクチャネルの１つの実装である。他のアップリンクチャネル構成が使用され得、そこでは、アップリンクタイミング基準信号伝送（例えば、ＳＲＳ）は、アップリンクメッセージの任意の部分の間に送信され、必ずしも特定の時間間隔（例えば、スロット）の開始時または終了時でなくても良いことが認識される。
【００１５】
アップリンク同期を維持するために、ＵＥ１０から送信された信号を分析することによって、アップリンクチャネル条件を計算することがネットワークアクセス装置（図１に示される）にとって望ましい。アップリンクチャネル条件を計算することに加え、ネットワークアクセス装置は、また、アップリンクタイミングが必要とされるかどうかを決定し得る。ネットワークアクセス装置がアップリンクチャネル条件を計算するために、基準信号が第１の持続時間において受信されることが必要であり得る。しかしながら、ネットワークアクセス装置がアップリンクタイミング調整を計算するために、基準信号が第２の持続時間において受信されることが必要であり得る。アップリンクチャネル条件を計算するための一組の基準信号タイミング要件がある一方で、アップリンクタイミング調整を計算するための第二の組の基準信号タイミング要件があることが結果である。
【００１６】
一実施形態において、ネットワークリソースの使用を最小化し、ＵＥバッテリ寿命を拡張するために、ネットワークアクセス装置は、二組の要件を整列させることを試みる基準信号命令メッセージを生成し得る。
【００１７】
ネットワークアクセス装置２０とＵＥ１０との間で送信された信号の１つの起こり得るタイミング図が図４に示される。この実施形態において、ネットワークアクセス装置２０は、アップリンクタイミング基準信号伝送命令メッセージ２４１の使用によって、ＵＥ１０に、いつアップリンクタイミング基準信号伝送（例えば、ＳＲＳ）を行うかを命令する。アップリンクタイミング基準信号伝送命令メッセージ２４１は、種々の命令のうちの任意の１つを含み得る。例えば、ネットワークアクセス装置２０は、タイミング基準信号伝送命令メッセージ２４１を介して、一定速度で、または、ネットワークアクセス装置２０に対するＵＥ１０の速度に依存してバーストでタイミング基準信号を送信するようにＵＥ１０に命令し得る。応答２４３において、ＵＥ１０は、ネットワークアクセス装置２０の命令にしたがって、タイミング基準信号伝送（例えば、ＳＲＳ）を送信し得る。
【００１８】
図５は、ネットワークアクセス装置２０における効率的なアップリンクリソース利用のための方法を示す。第１に、ブロック２０１において、ネットワークアクセス装置２０  は、第１のアップリンクパラメータ（例えば、チャネル条件）のための第１の組の基準信号要件を計算する。次に、ブロック２０３において、ネットワークアクセス装置は、第２のアップリンクパラメータ（例えば、アップリンクタイミング調整）のための第２の組の基準信号要件を計算する。次いで、ブロック２０５において、ネットワークアクセス装置２０は、第１の組の基準要件と第２の組の基準信号要件とを一体化する組み合わせ基準信号命令メッセージを生成し、第１の組の基準信号要件と第２の組の基準信号要件との間のオーバーラップは、除去される。次いで、ブロック２０７において、ネットワークアクセス装置は、組み合わせ基準信号命令メッセージを送信する。
【００１９】
一実施形態において、ネットワークアクセス装置が基準信号命令メッセージを生成する場合、ネットワークアクセス装置は、第１および第２の組の基準信号要件から共通基準信号要件を決定する。次いで、ネットワークアクセス装置は、基準信号のうちのいくつかが第１および第２のアップリンク測定パラメータの両方を計算するために使用され得るように、基準信号命令メッセージを順序付ける。
【００２０】
例えば、第１の組の基準信号要件は基準信号が１０ミリ秒（ｍｓ）ごとに送信されることを必要とし、第２の組の基準信号要件が基準信号が２０ｍｓごとに送信されることを必要とすることを想像されたい。組み合わせ基準信号命令メッセージなしでは、ＵＥは、１つの基準信号を１０ｍｓごとに、次いで１つの基準信号を２０ｍｓごとに伝送し、結果として２つの基準信号を２０ｍｓごとに伝送する。ネットワークアクセス装置は、第１および第２の組の基準信号要件を組み合わせ基準信号命令メッセージに一体化しているので、結果として、基準信号が１０ｍｓごとに送信される。したがって、ネットワークリソースおよびＵＥバッテリ寿命が保存される。
【００２１】
ＵＥにおいて、ＵＥは、基準信号命令メッセージを受信し、基準信号命令メッセージにしたがって信号を送信する。
【００２２】
図６は、ネットワークアクセス装置が基準信号を受信すると起こる方法の実施形態を示す。  ブロック６０１において、基準信号が受信される。ブロック６０３において、ネットワークアクセス装置は、第１のアップリンクパラメータを計算するために受信された基準信号のサブセットを利用する。次いで、ブロック６０５において、ネットワークアクセス装置は、第２のアップリンクパラメータを計算するために受信された基準信号のサブセットを再利用し得る。
【００２３】
上記からの例を続けて、５０ミリ秒（ｍｓ）持続時間において、ネットワークアクセス装置は、チャネル条件を計算するために１０ｍｓごとに送信された信号のうちの５つを利用し得る。次いで、ネットワークアクセス装置は、使用された信号のうちの２つ（例えば、２０ｍｓ離れた２つの信号）をアップリンクタイミング調整を計算するために再利用し得る。あるいは、ネットワークアクセス装置は、アップリンクタイミング調整を計算するために、２０ｍｓごとに送信された信号のうちの２つを利用し得る。次いで、ネットワークアクセス装置は、これら２つの信号と、チャネル条件を計算するために１０ｍｓごとに送信された他の３つの信号とを再利用し得る。
【００２４】
図７は、一実施形態の方法を示し、ここで、ネットワークアクセス装置は、基準信号命令メッセージを生成し、ネットワークアクセス装置は、ＵＥがアップリンクリソース割り当てを要求したかどうかを考慮する。ＵＥがアップリンクリソース割り当てを要求した場合、ブロック７０１において、ネットワークアクセス装置は、時間間隔の間にアップリンクリソースブロックをスケジューリングして、ブロック７０３において、ネットワークアクセス装置  はまた、同一の時間間隔の間に基準信号リソースを含む基準信号命令メッセージをスケジューリングする。ブロック７０５において、ネットワークアクセス装置は、アップリンクリソースブロックおよび基準信号リソース割り当てを含むメッセージを送信する。したがって、ネットワークアクセス装置は、同一の時間間隔の間に、基準信号が送信されるように命令し、この時間間隔の間に、データがアップリンクリソースブロックを用いて伝送される。それゆえ、ＵＥがそのスケジューリングされたアップリンクリソースブロックの間に伝送する場合には、ＵＥは、またアップリンク同期を維持するために必ず基準信号を伝送する。
【００２５】
いくつかのシステムにおいて、不連続伝送／受信（ＤＴＸ／ＤＲＸ）が、ＵＥバッテリ寿命を保存するために使用される。これらのシステムにおいて、ネットワークアクセス装置は、ＵＥがウェイク状態であることを決定する。それゆえ、図８に示されるように、８０１において、ネットワークアクセス装置は、不連続受信に基づいて持続時間を決定する。次いで、ブロック８０３において、ネットワークアクセス装置は、ＵＥの持続時間の間に発生するように基準信号伝送をスケジューリングする。それゆえ、ＵＥは、データを伝送するためにウェイクする場合に、アップリンク同期を必ず維持するために、基準信号を送信するために２度目のウェイクアップをする必要がない。
【００２６】
ＤＴＸおよびＤＲＸを利用するシステムの例は、ボイスオーバインターネットプロトコル  （ＶｏＩＰ）システムである。ＶｏＩＰは、半永続的に伝送されるリアルタイムデータタイプである。一実施形態において、ＵＥに対するＶｏＩＰパケットは、一定の間隔（例えば、２０ｍｓごと）に送信される。ＶｏＩＰ伝送の別の特徴は、音声がトークスパートと沈黙時間とを有することである。したがって、これらのシステムにおいて、アップリンク同期を維持するため、またはネットワークアクセス装置によってスケジューリングされるアップリンクチャネル条件を決定するために必須の信号は、アップリンクデータ伝送と同一の時間間隔の間にＵＥによって送信されることが有利である。一実施形態において、ＳＲＳは、ＶｏＩＰセッションと関連する持続時間の間に送信される。次いで、ＳＲＳは、チャネル品質を決定するため、またはタイミング調整が必要とされるかを決定するために使用され得る。
【００２７】
上記の方法を実行するために、ネットワークアクセス装置２０はプロセッサを含む。図９に示されるように、プロセッサは、受信モジュール９０１、アップリンクパラメータ要件モジュール９０３、生成モジュール９０５、伝送モジュール９０７、アップリンクパラメータ計算モジュール９０９、スケジューリングモジュール９１１、および持続時間決定モジュール９１３を備える。これらのモジュールは、単純化のために規定され、ソフトウェア、ハードウェア、ファームウェアまたはそれら全てにおいて実行され得る。さらに、これらのモジュールは、同一のメモリまたは異なるメモリに格納され得る。さらに、これらのモジュールは、１つ以上のモジュールに組み合わさられ得る。受信モジュール９０１はメッセージおよびタイミング信号を受信する。アップリンクパラメータ要件モジュール９０３は、第１のアップリンクパラメータに対する第１の組の基準信号要件を計算し、第２のアップリンクパラメータに対する第２の組の基準信号要件を決定する。一実施形態において、アップリンクパラメータモジュールは、２つの別個のモジュールに分解され、１つは計算用、もう１つは決定用である。アップリンクパラメータ要件モジュール９０３の出力は、生成モジュール９０５に送信される。生成モジュール９０５は、第１の組の基準要件と第２の組の基準信号要件とを一体化する組み合わせ基準信号命令メッセージを生成する。生成モジュール９０５の出力は、組み合わせ基準信号命令メッセージを送信する伝送モジュール９０７に送信される。
【００２８】
一実施形態において、受信モジュール９０１はメッセージおよびタイミング信号を受信する。次いで、タイミング信号はアップリンクパラメータ計算モジュール９０９に送信される。アップリンクパラメータ計算モジュール９０９は、次いで、受信されたタイミング信号に基づいて、第１のアップリンクパラメータとおよび第２のアップリンクパラメータとを計算する。一実施形態において、アップリンクパラメータ計算モジュール９０９は、２つのモジュールに分解され、１つは第１のアップリンクパラメータ計算用であり、もう１つは第２のアップリンクパラメータ計算用である。
【００２９】
一実施形態において、スケジューリングモジュール９１１は時間間隔においてアップリンクリソースブロックをスケジューリングし、同一の時間間隔において基準信号リソース割り当てをスケジューリングする。スケジューリングモジュール９１１の出力は、伝送モジュール９０７に送信され、これがアップリンクリソースブロックおよび基準信号リソースを含むメッセージを送信する。
【００３０】
一実施形態において、オン持続時間決定モジュール９１３は、不連続受信に基づいてオン持続時間を決定する。オン持続時間決定モジュール９１３の出力は、スケジューリングモジュール９１１に送信され、ここで持続時間の間に発生するように基準信号伝送をスケジューリングする。
【００３１】
図１０は、ＵＥ１０の一実施形態を含むワイヤレス通信システムを図示する。ＵＥ１０は、本開示の態様を実施するために動作可能であるが、本開示はこれらの実施例に制限すべきではない。携帯電話として図示されているが、ＵＥ１０は、ワイヤレスハンドセット、ポケベル、パーソナルデジタルアシスタント（ＰＤＡ）、ポータブルコンピュータ、タブレットコンピュータ、またはラップトップコンピュータを含む種々の形態を取ってもよい。多数の適したデバイスで、これらの機能のいくつかまたは全てが組み合わせられる。本開示のいくつかの実施形態では、ＵＥ１０は、ポータブル、ラップトップまたはタブレットコンピュータのような汎用コンピューティングデバイスではなく、携帯電話、ワイヤレスハンドセット、ポケベル、ＰＤＡ、または車内に搭載される電気通信デバイス等の、特化した通信デバイスである。別の実施形態では、ＵＥ１０は、ポータブル、ラップトップまたは他のコンピューティングデバイスにしてもよい。ＵＥ１０は、ゲーム、在庫制御、ジョブ制御、および／またはタスク管理機能等の、特化したアクティビティをサポートしてもよい。
【００３２】
ＵＥ１０は、ディスプレイ４０２を含む。ＵＥ１０はさらに、ユーザによる入力のために、概して４０４と称されるタッチ操作面、キーボードまたは他の入力キーを含む。キーボードは、ＱＷＥＲＴＹ、Ｄｖｏｒａｋ、ＡＺＥＲＴＹ、およびシーケンシャルタイプ、または電話キーパッドに関連付けられるアルファベット文字を有する従来の数字キーパッド等の、完全なまたは簡略化された英数字キーパッドにしてもよい。入力キーは、さらなる入力機能を提供するために、内側方向に押し下げてもよい、トラックホイール、ｅｘｉｔまたはｅｓｃａｐｅキー、トラックボール、および他のナビゲーションまたは機能キーを含んでもよい。ＵＥ１０は、ユーザが選択するオプション、ユーザが作動させる制御、および／またはユーザが方向付けるカーソルまたは他のポインタを示してもよい。
【００３３】
ＵＥ１０はさらに、ＵＥ１０の動作を構成するための、ダイヤルする番号または種々のパラメータ値を含む、ユーザからのデータ入力を受け入れてもよい。ＵＥ１０はさらに、ユーザコマンドに応答して、１つ以上のソフトウェアまたはファームウェアアプリケーションを実行してもよい。これらのアプリケーションは、ユーザインタラクションに応答して、種々のカスタマイズされた機能を実行するために、ＵＥ１０を構成してもよい。さらに、ＵＥ１０は、例えば、ワイヤレス基地局、ワイヤレスアクセスポイント、またはピアＵＥ１０から、無線でプログラムおよび／または構成してもよい。
【００３４】
ＵＥ１０で実行可能な種々のアプリケーションに、ウェブブラウザがあり、これにより、ディスプレイ４０２は、ウェブページを示すことができる。ウェブページは、ワイヤレスネットワークアクセスノード、セルタワー、ピアＵＥ１０、または任意の他のワイヤレス通信ネットワークまたはシステム４００によって、ワイヤレス通信を介して、取得してもよい。ネットワーク４００はインターネット等の有線ネットワーク４０８に接続される。ワイヤレスリンクおよび有線ネットワークを介して、ＵＥ１０は、サーバ４１０等の種々のサーバ上の情報へのアクセスを有する。サーバ４１０は、ディスプレイ４０２に示されてもよいコンテンツを提供してもよい。あるいは、ＵＥ１０は、リレータイプまたはホップタイプの接続において、中間物として働くピアＵＥ１０を通って、ネットワーク４００にアクセスしてもよい。
【００３５】
図１１は、ＵＥ１０のブロック図を示す。ＵＥ１０の種々の公知のコンポーネントが示されているが、一実施形態では、リストされたコンポーネントおよび／またはリストされていないさらなるサブセットは、ＵＥ１０に含まれてもよい。ＵＥ１０は、デジタルシグナルプロセッサ（ＤＳＰ）５０２およびメモリ５０４を含む。示されるように、ＵＥ１０はさらに、アンテナおよびフロントエンド装置５０６、無線周波数（ＲＦ）トランシーバ５０８、アナログベースバンド処理装置５１０、マイクロフォン５１２、イヤホンスピーカ５１４、ハンドセットポート５１６、入出力インターフェース５１８、取り外し可能メモリカード５２０、ユニバーサルシリアルバス（ＵＳＢ）ポート５２２、短距離ワイヤレス通信サブシステム５２４、アラート５２６、キーパッド５２８、タッチ操作面５３０を含んでもよい液晶ディスプレイ（ＬＣＤ）、ＬＣＤコントローラ５３２、電荷結合デバイス（ＣＣＤ）カメラ５３４、カメラコントローラ５３６、およびグローバルポジショニングシステム（ＧＰＳ）センサ５３８を含んでもよい。一実施形態では、ＵＥ１０は、タッチ操作画面を提供しない別の種類のディスプレイを含んでもよい。一実施形態では、ＤＳＰ５０２は、入出力インターフェース５１８を通過することなく、メモリ５０４と直接通信してもよい。
【００３６】
ＤＳＰ５０２またはコントローラあるいは中央処理装置のいくつかの他の形式は、メモリ５０４内に格納される、またはＤＳＰ５０２内自体に含まれるメモリ内に格納される、埋め込みソフトウェアまたはファームウェアに従って、ＵＥ１０の種々のコンポーネントを制御するために、動作する。埋め込みソフトウェアまたはファームウェアに加え、ＤＳＰ５０２は、メモリ５０４に格納される、または取り外し可能メモリカード５２０のようなポータブルデータストレージメディア等の情報伝達媒体、または有線あるいはワイヤレスネットワーク通信を介して利用可能になる、他のアプリケーションを実行してもよい。アプリケーションソフトウェアは、所望の機能性を提供するために、ＤＳＰ５０２を構成するマシン読み込み可能な命令のコンパイルされたセットを含んでもよい、またはアプリケーションソフトウェアは、図ＤＳＰ５０２を間接的に構成するために、インタープリタまたはコンパイラによって処理される高度なソフトウェア命令にしてもよい。
【００３７】
アンテナおよびフロントエンド装置５０６は、ワイヤレスシグナルおよび電気的シグナルの間を切り替えるために提供されてもよく、これにより、ＵＥ１０は、移動体通信ネットワークまたはいくつかの他の利用可能なワイヤレス通信ネットワークからの、またはピアＵＥ１０からの情報を送受信することができる。一実施形態では、アンテナおよびフロントエンド装置５０６は、ビーム形成および／または複数入力複数出力（ＭＩＭＯ）動作をサポートするために、複数のアンテナを含んでもよい。当業者には公知であるように、ＭＩＭＯ動作は、困難なチャネル条件を克服する、および／またはチャネルのスループットを向上させるために使用可能な、空間的多様性を提供してもよい。アンテナおよびフロントエンド装置５０６は、アンテナチューニングおよび／またはインピーダンス一致コンポーネント、ＲＦ電力増幅器、および／または低雑音増幅器を含んでもよい。
【００３８】
ＲＦトランシーバ５０８は、周波数偏移、受信したＲＦシグナルのベースバンドへの変換、およびベースバンド伝送シグナルのＲＦへの変換を提供する。いくつかの記載において、無線トランシーバまたはＲＦトランシーバは、変調／復調、符号化／復号化、インターリーブ／逆インターリーブ、拡散／非拡散、逆高速フーリエ変換（ＩＦＦＴ）／高速フーリエ変換（ＦＦＴ）、サイクリックプリフィクス追加／除去、および他のシグナル処理機能等の、他のシグナル処理機能を含むことが理解される場合がある。便宜上、ここでの記載は、ＲＦおよび／または無線ステージと、このシグナル処理の記載を別にしており、また、アナログベースバンド処理装置５１０および／またはＤＳＰ５０２または他の中央処理装置へのそのシグナル処理を、概念的に割り当てる。いくつかの実施形態において、ＲＦトランシーバ５０８、アンテナおよびフロントエンド５０６の一部、およびアナログベースバンド処理装置５１０は、１つ以上の処理装置および／または特定用途向け集積回路（ＡＳＩＣ）に組み合わせてもよい。
【００３９】
アナログベースバンド処理装置５１０は、入力および出力の種々のアナログ処理、例えば、マイクロフォン５１２およびハンドセット５１６からの入力およびイヤホン５１４およびハンドセット５１６への出力のアナログ処理を提供してもよい。そのために、アナログベースバンド処理装置５１０は、ＵＥ１０を携帯電話として使用できるようにする、内蔵マイクロフォン５１２およびイヤホンスピーカ５１４への接続のためのポートを有してもよい。アナログベースバンド処理装置５１０はさらに、ハンドセットまたは他のハンズフリーマイクロフォンおよびスピーカ構成への接続のためのポートを有してもよい。アナログベースバンド処理装置５１０は、あるシグナル方向におけるデジタル・アナログ変換、および反対のシグナル方向におけるアナログ・デジタル変換を提供してもよい。いくつかの実施形態では、アナログベースバンド処理装置５１０の機能の少なくともいくつかを、デジタル処理コンポーネント、例えば、ＤＳＰ５０２または他の中央処理装置によって、提供してもよい。
【００４０】
ＤＳＰ５０２は、変調／復調、符号化／復号化、インターリーブ／逆インターリーブ、拡散／非拡散、逆高速フーリエ変換（ＩＦＦＴ）／高速フーリエ変換（ＦＦＴ）、サイクリックプリフィクス追加／除去、およびワイヤレス通信に関連付けられる他のシグナル処理機能を実行してもよい。一実施形態では、例えば符号分割多元接続（ＣＤＭＡ）技術の応用例において、トランスミッタ機能のために、ＤＳＰ５０２は、変調、符号化、インターリーブ、および拡散を実行してもよく、レシーバ機能のために、ＤＳＰ５０２は、非拡散、逆インターリーブ、復号化、および復調を実行してもよい。別の実施形態では、例えば、直交波周波数分割多重アクセス（ＯＦＤＭＡ）技術の応用例において、トランスミッタ機能のために、ＤＳＰ５０２は、変調、符号化、インターリーブ、逆高速フーリエ変換、およびサイクリックプリフィクス追加を実行してもよく、レシーバ機能のために、ＤＳＰ５０２は、サイクリックプリフィックス除去、高速フーリエ変換、逆インターリーブ、復号化、および復調を実行してもよい。他のワイヤレス技術の応用例において、さらに他のシグナル処理機能およびシグナル処理機能の組み合わせを、ＤＳＰ５０２によって、実行してもよい。
【００４１】
ＤＳＰ５０２は、アナログベースバンド処理装置５１０を介して、ワイヤレスネットワークと通信してもよい。いくつかの実施形態では、通信は、インターネット接続を提供してもよく、こうして、ユーザは、インターネット上のコンテンツへのアクセスを得ることができ、電子メールまたはテキストメッセージを送受信することができる。入出力インターフェース５１８は、ＤＳＰ５０２および種々のメモリおよびインターフェースと相互接続する。メモリ５０４および取り外し可能なメモリカード５２０は、ＤＳＰ５０２の動作を構成するために、ソフトウェアおよびデータを提供してもよい。インターフェースでは、ＵＳＢインターフェース５２２および短距離ワイヤレス通信サブシステム５２４にしてもよい。ＵＥ１０を充電するためにＵＳＢインターフェース５２２を使用してもよく、パーソナルコンピュータまたは他のコンピュータシステムと情報を交換するために、ＵＥ１０を周辺デバイスとして機能させてもよい。短距離ワイヤレス通信サブシステム５２４は、ＵＥ１０が、他の隣接する携帯デバイスおよび／またはワイヤレス基地局とワイヤレスで通信することを可能にしてもよい、赤外線ポート、ブルートゥースインターフェース、ＩＥＥＥ８０２．１１準拠ワイヤレスインターフェース、または任意の他の短距離ワイヤレス通信サブシステムを含んでもよい。
【００４２】
入出力インターフェース５１８はさらに、トリガされた場合に、ＵＥ１０が、例えば、呼び出し音、メロディの演奏、または振動によって、ユーザに通知できるようにする、アラート５２６へＤＳＰ５０２を接続させてもよい。アラート５２６は、着信、新しいテキストメッセージ、および約束のリマインダ等の、種々のイベントのいずれかへ、無音の振動、または特定の発信者のための特定の事前指定されたメロディの再生によって、ユーザに注意を促すためのメカニズムとして機能してもよい。
【００４３】
キーパッド５２８は、ユーザが、選択を実行する、情報を入力する、およびＵＥ１０への入力を実行するためのあるメカニズムを提供するために、インターフェース５１８を介して、ＤＳＰ５０２に連結する。キーボード５２８は、ＱＷＥＲＴＹ、Ｄｖｏｒａｋ、ＡＺＥＲＴＹおよびシーケンシャルタイプ、または電話キーパッドに関連付けられるアルファベット文字を有する従来の数字キーパッド等の、完全なまたは簡略化英数字キーパッドにしてもよい。入力キーは、トラックホイール、ｅｘｉｔまたはｅｓｃａｐｅキー、トラックボール、およびさらに入力機能を提供するために内部に押し下げられてもよい、他のナビゲーションまたは機能キーを含んでもよい。別の入力メカニズムは、タッチスクリーン機能を含んでもよい、さらに、ユーザへテキストおよび／またはグラフィックス表示してもよい、ＬＣＤ５３０にしてもよい。また、ＬＣＤコントローラ５３２は、ＤＳＰ５０２をＬＣＤ５３０へ連結する。
【００４４】
装備されている場合、ＣＣＤカメラ５３４により、ＵＥ１０は、デジタル画像を撮影することができる。ＤＳＰ５０２は、カメラコントローラ５３６を介して、ＣＣＤカメラ５３４と通信する。別の実施形態では、電荷結合デバイスカメラ以外の技術によって動作するカメラを使用してもよい。ＧＰＳセンサ５３８は、グローバルポジショニングシステムシグナルを復号化するために、ＤＳＰ５０２に結合されるため、ＵＥ１０は、その位置を決定することができる。さらに、さらなる機能、例えば、ラジオおよびテレビの受信を提供するために、種々の他の周辺装置を含んでもよい。
【００４５】
図１２は、ＤＳＰ５０２によって実施してもよい、ソフトウェア環境６０２を図示する。ＤＳＰ５０２は、ソフトウェアの残りが動作するプラットフォームを提供するオペレーティングシステムドライバ６０４を実行する。オペレーティングシステムドライバ６０４は、ワイヤレスデバイスハードウェアのドライバに、アプリケーションソフトウェアにアクセス可能な標準化インターフェースを提供する。オペレーションシステムドライバ６０４は、ＵＥ１０上で実行するアプリケーションの間の制御を伝達する、アプリケーション管理サービス（「ＡＭＳ」）６０６を含む。さらに図１２において、ウェブブラウザアプリケーション６０８、メディアプレイヤーアプリケーション６１０、およびＪａｖａ（登録商標）アプレット６１２が示されている。ウェブブラウザアプリケーション６０８は、ウェブブラウザとして動作するために、ＵＥ１０を構成するため、ユーザは、情報をフォームに入力し、ウェブページを読み出しおよび閲覧するためのリンクを選択できる。メディアプレイヤーアプリケーション６１０は、音声または音声視覚メディアを読み出しおよび再生するために、ＵＥ１０を構成する。Ｊａｖａ（登録商標）アプレット６１２は、ゲーム、ユーティリティ、および他の機能を提供するために、ＵＥ１０を構成する。コンポーネント６１４は、本開示に関連する機能を提供してもよい。
【００４６】
図１のＵＥ１０、ＥＮＢ２０、および中央制御１１０ならびにセル１０２に関連付けられてもよい他のコンポーネントは、その上にかかる必要な負荷を処理するために、十分な処理電力、メモリリソース、およびネットワークスループット機能を有する任意の汎用コンピュータを含んでもよい。図１３は、本明細書中に開示される１つ以上の実施形態を実施するために適していてもよい、典型的な、汎用コンピュータシステム７００を図示する。コンピュータシステム７００は、セカンダリストレージ７５０、読み出し専用メモリ（ＲＯＭ）７４０、ランダムアクセスメモリ（ＲＡＭ）７３０、入出力（Ｉ／Ｏ）デバイス７００、およびネットワーク接続デバイス７６０を含むメモリデバイスと通信する、プロセッサ７２０（中央プロセッサ装置またはＣＰＵと称されることもある）を含む。プロセッサは、１つ以上のＣＰＵチップとして実施されてもよい。
【００４７】
セカンダリストレージ７５０は、典型的には、１つ以上のディスクドライブまたはテープドライブで構成され、ＲＡＭ７３０が、全てのワーキングデータを保持するために十分な大きさでない場合に、データの非揮発性ストレージのために、また、オーバーフローデータストレージデバイスとして、使用される。セカンダリストレージ７５０は、こうしたプログラムが実行のために選択された場合に、ＲＡＭ７３０にロードされるプログラムを格納するために使用してもよい。ＲＯＭ７４０は、命令および、おそらくは、プログラム実行中に読み込まれるデータを格納するために使用される。ＲＯＭ７４０は、典型的には、セカンダリストレージのより大きいメモリ容量に対して小さいメモリ容量を有する、非揮発性メモリデバイスである。ＲＡＭ７３０は、揮発性データを格納し、おそらくは命令を格納するために使用される。ＲＯＭ７４０およびＲＡＭ７３０の両方へのアクセスは、典型的に、セカンダリストレージ７５０よりも高速である。
【００４８】
Ｉ／Ｏデバイス７００は、プリンタ、ビデオモニタ、液晶ディスプレイ（ＬＣＤ）、タッチスクリーンディスプレイ、キーボード、キーパッド、スイッチ、ダイヤル、マウス、トラックボール、音声認識装置、カードリーダ、ペーパーテープリーダ、または他の公知の入力デバイスを含んでもよい。
【００４９】
ネットワーク接続デバイス７６０は、モデム、モデムバンク、イーサネット（登録商標）カード、ユニバーサルシリアルバス（ＵＳＢ）インターフェースカード、シリアルインターフェース、トークンリングカード、ファイバー分散データインターフェース（ＦＤＤＩ）カード、ワイヤレスローカルエリアネットワーク（ＷＬＡＮ）カード、携帯通信（ＧＳＭ）無線トランシーバカードのための符号分割複数のアクセス（ＣＤＭＡ）および／またはグローバルシステム等の無線トランシーバカード、および他の公知のネットワークデバイスの形態であってもよい。これらのネットワーク接続デバイス７６０は、プロセッサ７２０が、インターネットまたは１つ以上のイントラネットと通信することを可能にする。こうしたネットワーク接続では、プロセッサ７２０がネットワークからの情報を受信する、または、上記の方法のステップの実行中に、ネットワークへ情報を出力することが、検討される。プロセッサ７２０を使用して実行される一連の命令として多くの場合表される、こうした情報は、例えば、搬送波として実行されるコンピュータデータシグナルの形態で、ネットワークから受信、およびネットワークへ出力されてもよい。
【００５０】
プロセッサ７２０を使用して実行されるデータまたは命令を含んでもよい、こうした情報は、例えば、コンピュータデータベースバンドシグナルまたは搬送波内で実行されるシグナルの形態で、ネットワークから、およびネットワークへ、入出力されてもよい。ネットワーク接続７６０によって生成される搬送波内で実行されるベースバンドシグナルまたはシグナル、デバイスは、導電体内または導電体上、同軸ケーブル、導波管、光媒体、例えば光ファイバー、または無線またはフリースペース内を伝播してもよい。ベースバンドシグナルに含まれる情報または搬送波に埋め込まれるシグナルは、情報の処理または生成あるいは情報の送受信のために望ましいように、異なるシーケンスに従い、順序決定されてもよい。ベースバンドシグナルまたは搬送波に埋め込まれているシグナル、または本明細書中で伝送媒体と称される、現在使用されているまたは今後開発される、他の種類のシグナルを、当業者に公知のいくつかの方法に従い、生成してもよい。
【００５１】
プロセッサ７２０は、ハードディスク、フロッピー（登録商標）ディスク、光ディスク（これらの種々のディスクベースのシステムは、全て、セカンダリストレージ７５０と考えてもよい）、ＲＯＭ７４０、ＲＡＭ７３０、またはネットワーク接続デバイス７６０からアクセスする、命令、コード、コンピュータプログラム、スクリプトを実行する。１つのみのプロセッサ７２０が示されているが、複数のプロセッサが存在してもよい。このため、命令は、プロセッサによって実行されるものとして記載されてもよいが、命令は、同時に、順次に実行、または、１つまたは複数のプロセッサによって実行されてもよい。
【００５２】
本開示において、いくつかの実施形態が提供されているが、本開示の精神または範囲から逸脱しない限り、開示されたシステムおよび方法は、多数の他の特定の形式で実施できることを理解されたい。また、本実施例は、制限的ではなく例示的なものとして考えるべきであり、本明細書内に記載されている詳細事項に制限されるものではない。例えば、種々の要素またはコンポーネントは、別のシステムにおいて組み合わせまたは統合してもよい、あるいは特定の特徴を省略してもよい、または実施しなくてもよい。
【００５３】
さらに、種々の実施形態中に、別個に、または区別して、記載および図示される技術、システム、サブシステムならびに方法は、本開示の範囲から逸脱しない限り、他のシステム、モジュール、技術、または方法と組み合わせし得るか、あるいは統合し得る。連結された、または直接連結された、あるいは、互いに通信するように、図示または記載される他の項目は、電気的、機械的、またはその他の形態に関わらず、いくつかのインターフェース、デバイス、または中間コンポーネントを介して、間接的に連結または通信してもよい。また、変更、置換、および改変の他の例が、当業者によって確認可能であり、本明細書に開示されている精神および範囲を逸脱することなく、実行可能である。
【図１】
0005499115.tif 000002
【図２】
0005499115.tif 000003
【図４】
0005499115.tif 000004
【図５】
0005499115.tif 000005
【図６】
0005499115.tif 000006
【図７】
0005499115.tif 000007
【図８】
0005499115.tif 000008
【図９】
0005499115.tif 000009
【図１０】
0005499115.tif 000010
【図１１】
0005499115.tif 000011
【図１２】
0005499115.tif 000012
【図１３】
0005499115.tif 000013
【図３】
0005499115.tif 000014